(57)【要約】      （修正有）【課題】簡単にすばやく髪を巻きつけることができ、コールドパーパーを必要としないロッドを提供する。【解決手段】本体１と、挟持フレーム２とを含んでなり、本体が、一体に成型され、外周面上に２列に排列して且つ、互い違う位置に形成された複数の貫通孔１０を具えてなり、挟持フレームが、一体に成型され、軸方向の両側に形成された自由端と、軸方向に等間隔に形成された複数の円弧状のリング２０とを具えてなり、本体の長さに対応して形成され、本体の外周面上を挟持して被覆するように設ける。【選択図】図３
0003179143.tif 000002
【実用新案登録請求の範囲】
【請求項１】
本体と、挟持フレームとを含んでなり、
該本体が、一体に成型され、外周面上に２列に排列して且つ、互い違う位置に形成された複数の貫通孔を具えてなり、
該挟持フレームが、一体に成型され、軸方向の両側に形成された自由端と、軸方向に等間隔に形成された複数の円弧状のリングとを具えてなり、本体の長さに対応して形成され、本体の外周面上を挟持して被覆するように設けることを特徴とするロッド。
【請求項２】
前記本体が、挟持フレームの両側から穿設することを特徴とする請求項１に記載のロッド。
【請求項３】
前記本体が、両端を円錐形に形成することを特徴とする請求項１に記載のロッド。
【考案の詳細な説明】
【技術分野】
【０００１】
この考案は、ロッドに関し、特に髪を巻きつけてパーマをかけたり、髪を巻いたりするロッドに関する。
【背景技術】
【０００２】
従来のロッドは、先に髪を細かいブロックに分けて細い束にした髪の毛をコールドパーパーに巻き、ロッドに巻きつけてからゴムで止めて髪を固定していた。
【０００３】
比較的広い面積の髪にパーマをかける場合には、複数回、髪を巻きつける作業をしなければならないため、全体を均一にそろえることが難しい。
【０００４】
また、髪全体にパーマをかける場合には、全ての髪を巻きつけた後でパーマ液を均一につけなければならないため、作業者の体や手を疲れさせる。
【０００５】
パーマが終了した後には、再度、巻きつけた髪を一つ一つ外していかなければならないため、作業時間が長くなる。
【０００６】
コールドペーパーの使用はパーマに影響を与える。新しいコールドパーパーは比較的髪を巻きつけ易いが、その材質がパーマの質に影響を与える。
【０００７】
コールドパーパーは複数回使用した後、洗浄してから折り畳んで収納しなければ、次回使用する場合に湾曲するため、再使用が難しくなる。
【考案の開示】
【考案が解決しようとする課題】
【０００８】
この考案は、簡単にすばやく髪を巻きつけることができ、コールドパーパーを必要としないロッドを提供することを課題とする。
【課題を解決するための手段】
【０００９】
そこで、本考案者は従来の技術に見られる欠点に鑑みて鋭意研究を重ねた結果、本体と、挟持フレームとを含んでなり、
該本体が、一体に成型され、外周面上に２列に排列して且つ、互い違う位置に形成された複数の貫通孔を具えてなり、
該挟持フレームが、一体に成型され、軸方向の両側に形成された自由端と、軸方向に等間隔に形成された複数の円弧状のリングとを具えてなり、本体の長さに対応して形成され、本体の外周面上を挟持して被覆するように設けるロッドによって課題を解決できる点に着眼し、かかる知見に基づいて本考案を完成させた。
【００１０】
以下、この考案について具体的に説明する。
請求項１に記載のロッドは、本体と、挟持フレームとを含んでなり、
該本体が、一体に成型され、外周面上に２列に排列して且つ、互い違う位置に形成された複数の貫通孔を具えてなり、
該挟持フレームが、一体に成型され、軸方向の両側に形成された自由端と、軸方向に等間隔に形成された複数の円弧状のリングとを具えてなり、本体の長さに対応して形成され、本体の外周面上を挟持して被覆するように設ける。
【００１１】
請求項２に記載の本体は、挟持フレームの両側から穿設する。
【００１２】
請求項３に記載の本体は、両端を円錐形に形成する。
【考案の効果】
【００１３】
この考案によるロッドは、本体の外周面上に貫通孔が設けられているため、パーマ液が髪のすみずみまで浸透しやすく、熱も通り易いという効果を有する。
【００１４】
また、広い面積の髪を処理できるとともに、簡単に着脱することができるため、作業時間を大幅に短縮することができて実用的で、コールドパーパーを必要としないため、環境も保護するという効果を有する。
【図面の簡単な説明】
【００１５】
【図１】この考案のロッドを示した分解図である。
【図２】この考案のロッドを示した平面図である。
【図３】この考案のロッドを示した斜視図である。
【図４】この考案のロッドの使用状態を示した分解図である。
【図５】この考案のロッドの使用状態を示した説明図である。
【考案を実施するための形態】
【００１６】
この考案は簡単にすばやく髪を巻きつけることができ、コールドパーパーを必要としないロッドであって、本体と、挟持フレームとを含んでなり、
該本体が、一体に成型され、外周面上に２列に排列して且つ、互い違う位置に形成された複数の貫通孔を具えてなり、該挟持フレームが、一体に成型され、軸方向の両側に形成された自由端と、軸方向に等間隔に形成された複数の円弧状のリングとを具えてなり、本体の長さに対応して形成され、本体の外周面上を挟持して被覆するように設けるロッドの構造と特徴を詳述するために具体的な実施例を挙げ、図示を参照にして以下に説明する。
【実施例】
【００１７】
図１は、この考案のロッドの分解図を示したものである。図２は、この考案のロッドを示した平面図である。
【００１８】
図３は、この考案のロッドを組み合わせた状態を示したもので、図４は、髪をまきつけて使用する場合を示したものである。図５は、この考案のロッドを髪に巻きつけた状態を示したものである。
【００１９】
図面によれば、この考案のロッドは、本体１と、挟持フレーム２とを組み合わせなる。
【００２０】
該本体１は、一体に成型され、熱を防ぐことができる細長い形状の弾性の棒体からなる。
【００２１】
該本体１は、両端が円錐形で周囲に２列に排列して複数の貫通孔１０が設けられ、該貫通孔１０は互い違いに排列して形成される。
【００２２】
該挟持フレーム２は、一体に成型され、熱を防ぐ弾性の挟持部材であって、該挟持フレーム２は、軸方向の両側に形成された自由端と、等間隔に形成された複数の円弧状のリング２０とを具えてなり、二本の平行バー２１で複数のリング２０の円弧状の端縁部を接続する。
【００２３】
該挟持フレーム２は、本体１の長さに対応して形成され、本体１の外周面上に挟持して被覆するように設ける。
【００２４】
図３に開示するように、組み合わせる場合、本体１は挟持フレーム２の両端から穿設し、挟持フレーム２で本体１の外周面上を被覆するように設ける。
【００２５】
図２、図４、図５に開示するように、この考案のロッドに髪の毛を巻きつける場合、該本体１に髪の毛を均等に少し巻きつけ、髪と本体１とを持って両者を同時に回転させて髪を巻きつける。
【００２６】
パーマをかけたい長さまで髪を巻きつけた後、挟持フレーム２を本体１の外周面上を被覆するように固定する。
【００２７】
続けて次のロッド上にパーマをかけるそれぞれの部分の髪を巻きつけてからパーマ液を均等にロッド上の髪の毛に塗布する。
【００２８】
この考案のロッドの本体１上には、二列で互い違いの位置に複数の貫通孔が設けられているため、パーマ液が該貫通孔から流れ出てもう一方の側面の貫通孔から流れ出る。
【００２９】
よって、パーマ液がすばやく、均等にロッド上の髪に塗布される。
【００３０】
また、パーマをかけるために高温にする場合、該貫通孔から熱気がすばやく通過するため、均等にすばやくパーマをかけることができる。
【００３１】
パーマの作業が終了した後、ロッドを外す場合、本体の軸方向の一側面に軽く力を入れてもう一方の側面の方向へ押し出すとすばやく挟持フレームを外すことができる。
【００３２】
従来のロッドに比べて、この考案のロッドは取り外しにおいてもすばやく簡単に実施することができる。
【００３３】
ロッド上に巻きつける髪の量も従来のものよりも多く巻きつけられるため、作業面積が広がり、効率を上げることができる。
【００３４】
この考案のロッドは、上述のように、コールドパーパーを使用する必要がないため、環境を保護するとともに、何度も使用することができる。
【００３５】
また、広い面積の髪の毛を一度に作業することができるため、パーマをかけるまでの作業時間が短縮でき、且つ、取り外しも簡単なため、全体の作業時間が短縮できて実用的である。
【００３６】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案登録請求の範囲に属するものとする。
【符号の説明】
【００３７】
１      本体
１０    貫通孔
２      挟持フレーム
２０    リング
２１    平行バー
【図１】
0003179143.tif 000003
【図２】
0003179143.tif 000004
【図３】
0003179143.tif 000005
【図４】
0003179143.tif 000006
【図５】
0003179143.tif 000007